(57)【要約】      （修正有）【課題】施術中に、容器本体の外表面に付着した内容物が他の部位に付着してしまうことを防止する施術装置を提供する。【解決手段】施術装置１０は、容器２０と、容器を支持する支持具５０と、を有する。容器は、内容物を収容した容器本体３０と、容器本体に固定可能な蓋体４０と、を有する。容器本体は、内容物を収容する胴部３１と、胴部から突出し先端に開口を形成された口部と、を有する。蓋体は、容器本体から最も離間する蓋底部４１と、蓋底部から延び出す筒状の側壁部と、を有する。蓋体は、口部を覆うようにして容器本体に固定可能である。蓋体の側壁部の幅は、蓋底部に最も近接する基端部において蓋底部から最も離間する先端部よりも小さくなっている。支持具は、容器の蓋体を受ける受け開口５１ａが形成された天板５１を有する。受け開口の開口幅は、基端部における側壁部の幅よりも大きく先端部における側壁部の幅よりも小さい。【選択図】図１
0003196263.tif 000002
【実用新案登録請求の範囲】
【請求項１】
容器と、
前記容器を支持する支持具と、を備える施術装置であって、
前記容器は、内容物を収容した容器本体と、前記容器本体に固定可能な蓋体と、を有し、
前記容器本体は、前記内容物を収容する胴部と、前記胴部から突出し先端に開口を形成された口部と、を有し、
前記蓋体は、前記容器本体から最も離間する蓋底部と、前記蓋底部から延び出す筒状の側壁部と、を有し、前記口部を覆うようにして前記容器本体に固定可能であり、
前記蓋体の前記側壁部の幅は、前記蓋底部に最も近接する基端部において前記蓋底部から最も離間する先端部よりも小さくなっており、
前記支持具は、前記容器の前記蓋体を受ける受け開口が形成された天板を有し、
前記受け開口の開口幅は、前記基端部における前記側壁部の幅よりも大きく前記先端部における前記側壁部の幅よりも小さい、施術装置。
【請求項２】
前記支持具の前記天板には、前記受け開口とは別途に、有底受け穴が形成されている、請求項１に記載の施術装置。
【請求項３】
前記有底受け穴に収容可能な櫛をさらに備える、請求項２に記載の施術装置。
【請求項４】
前記蓋体は、前記蓋底部から垂下して前記側壁部の内側に設けられ且つ前記容器本体の前記口部を収容する内筒部を、さらに有する、請求項１〜３のいずれか一項に記載の施術装置。
【請求項５】
前記側壁部の幅は、前記先端部から前記基端部に向けて小さくなるようにのみ変化する、請求項１〜４のいずれか一項に記載の施術装置。
【請求項６】
前記側壁部の幅は、前記先端部から前記基端部に向けて小さくなるように変化し続ける、請求項１〜５のいずれか一項に記載の施術装置。
【請求項７】
前記側壁部は、前記先端部と前記基端部とを結ぶ方向に直交する断面において、円形状である、請求項１〜６のいずれか一項に記載の施術装置。
【請求項８】
前記支持具の前記天板に形成された前記受け開口は、円形状である、請求項１〜７のいずれか一項に記載の施術装置。
【請求項９】
前記蓋体は、前記蓋底部が前記天板の前記受け開口を通過し且つ上方に開口した状態で、前記天板に保持される、請求項１〜８のいずれか一項に記載の施術装置。
【請求項１０】
前記容器本体は、前記天板に保持された前記蓋体に前記口部を挿入することにより、起立した状態で支持される、請求項９に記載の施術装置。
【考案の詳細な説明】
【技術分野】
【０００１】
本考案は、内容物を収容した容器と、容器を支持する支持具と、を有する施術装置に関する。
【背景技術】
【０００２】
身体を清潔にすることや身体の美観を増すことを目的として、医薬部外品や化粧品が広く普及している。医薬部外品や化粧品は、通常、容器から掌に取り出され、身体に塗布される。このような一連の作業を容易に行うことが可能となるよう、多くの容器は、可撓性のチューブ状容器本体を有している（例えば、特許文献１）。使用者は、容器本体を一方の手で押し潰すことにより、容器本体から他方の手に内容物（例えば医薬部外品や化粧品）を絞り出すことができる。例えば内容物が染毛剤、薬用化粧品、染毛料、整髪料、トリートメント等である場合、他方の手に取り出された内容物は、両手の上で広げられ、頭髪に塗布される。
【先行技術文献】
【特許文献】
【０００３】
【特許文献１】特開２００７−１１９０２３号公報
【考案の概要】
【考案が解決しようとする課題】
【０００４】
ところで、以上のような内容物の施術において、容器本体から内容物を複数回取り出して身体に塗布することもある。容器本体からの内容物の二回目以降の取り出し時には、内容物が付着した手で容器本体を握ることになり、容器本体の外表面にも内容物が付着する。そして、容器本体から二回目以降に取り出された内容物を身体に塗布する際、容器本体を手放すことになるが、このとき、容器本体の外表面に付着した内容物が、化粧台、机、床等に付着してしまうという問題が生じる。このような問題は、とりわけ、染毛料等の着色材料を含有する内容物において、より深刻となる。
【０００５】
本考案は、以上の点を考慮してなされたものであり、施術中に、容器本体の外表面に付着した内容物が他の部位に付着してしまうことを防止することを目的とする。
【課題を解決するための手段】
【０００６】
本考案による施術装置は、
容器と、
前記容器を支持する支持具と、を備える施術装置であって、
前記容器は、内容物を収容した容器本体と、前記容器本体に固定可能な蓋体と、を有し、
前記容器本体は、前記内容物を収容する胴部と、前記胴部から突出し先端に開口を形成された口部と、を有し、
前記蓋体は、前記容器本体から最も離間する蓋底部と、前記蓋底部から延び出す筒状の側壁部と、を有し、前記口部を覆うようにして前記容器本体に固定可能であり、
前記蓋体の前記側壁部の幅は、前記蓋底部に最も近接する基端部において前記蓋底部から最も離間する先端部よりも小さくなっており、
前記支持具は、前記容器の前記蓋体を受ける受け開口が形成された天板を有し、
前記受け開口の開口幅は、前記基端部における前記側壁部の幅よりも大きく前記先端部における前記側壁部の幅よりも小さい。
【０００７】
本考案による施術装置において、前記支持具の前記天板には、前記受け開口とは別途に、有底受け穴が形成されていてもよい。
【０００８】
本考案による施術装置は、前記有底受け穴に収容可能な櫛をさらに備えていてもよい。
【０００９】
本考案による施術装置において、前記蓋体は、前記蓋底部から垂下して前記側壁部の内側に設けられ且つ前記容器本体の前記口部を収容する内筒部を、さらに有するようにしてもよい。
【００１０】
本考案による施術装置において、前記側壁部の幅は、前記先端部から前記基端部に向けて小さくなるようにのみ変化するようにしてもよい。
【００１１】
本考案による施術装置において、前記側壁部の幅は、前記先端部から前記基端部に向けて小さくなるように変化し続けるようにしてもよい。
【００１２】
本考案による施術装置において、前記側壁部は、前記先端部と前記基端部とを結ぶ方向に直交する断面において、円形状であるようにしてもよい。
【００１３】
本考案による施術装置において、前記支持具の前記天板に形成された前記受け開口は、円形状であるようにしてもよい。
【００１４】
本考案による施術装置において、前記蓋体は、前記蓋底部が前記天板の前記受け開口を通過し且つ上方に開口した状態で、前記天板に保持されるようにしてもよい。
【００１５】
本考案による施術装置において、前記容器本体は、前記天板に保持された前記蓋体に前記口部を挿入することにより、起立した状態で支持されるようにしてもよい。
【考案の効果】
【００１６】
本考案によれば、施術中に、容器本体の外表面に付着した内容物が他の部位に付着してしまうことを防止することができる。
【図面の簡単な説明】
【００１７】
【図１】図１は、本考案の一実施の形態を説明するための図であって、施術装置を示す斜視図である。
【図２】図２は、図１に示された施術装置の容器を示す側面図である。
【図３】図３は、図１に示された施術装置の支持具を示す斜視図である。
【図４】図４（ａ）〜図４（ｄ）は、図１の施術装置の使用方法を説明するための図である。
【図５】図５は、図４（ｂ）及び図４（ｄ）に示された状態の施術装置を示す側断面図である。
【考案を実施するための形態】
【００１８】
以下、図面を参照して本考案の一実施の形態について説明する。なお、本件明細書に添付する図面においては、図示と理解のしやすさの便宜上、適宜縮尺および縦横の寸法比等を、実物のそれらから変更し誇張してある。
【００１９】
図１に示すように、施術装置１０は、容器２０と、容器２０を支持する支持具５０と、を有している。また、図示された施術装置１０は、櫛６０を更に有しており、櫛６０は、支持具５０に支持されるようになっている。容器２０は、内容物を収容している。そして、施術装置１０は、内容物を身体に塗布する際に使用される装置である。この施術装置１０には、容器２０に収容された内容物を身体に塗布する際に、内容物が周囲の部位、例えば、化粧台、机、床等に付着してしまうということを効果的に防止するための工夫がなされている。
【００２０】
なお、内容物としては、身体を清潔にすることや身体の美観を増すことを目的として人の身体に塗布される化粧品や医薬部外品を例示することができる。施術装置１０で好適に取り扱われる内容物は、比較的に粘性を有した材料、ペースト状の材料等であり、典型的な例として、毛髪に塗布される医薬部外品である染毛剤や薬用化粧品等、あるいは、化粧品としての染毛料や、整髪料、トリートメント等を例示することができる。染毛料、あるいは、トリートメント効果を付与された染毛料は、着色材を含んでいることから、施術中に周囲の部位に付着することがとりわけ嫌われる。この点から、染毛料、あるいは、トリートメント効果を付与された染毛料からなる内容物に対して、ここで説明する施術装置１０は、とりわけ好適に適用され得る。
【００２１】
以下、施術装置１０を構成する容器２０及び支持具５０について、この順で説明する。
【００２２】
図２に示すように、容器２０は、内容物を収容した容器本体３０と、容器本体３０に取り外し可能に固定される蓋体４０と、を有している。容器本体３０は、長手方向を有する胴部３１と、胴部３１の一端に接続した口部３２と、を含んでいる。胴部３１は、例えば、まず樹脂製の薄肉筒状体を用意し、次に口部３２が接続される側とは反対側となる端部を閉鎖することにより、作製され得る。この胴部３１は、可撓性を有しており、押圧されると潰れるように変形する。
【００２３】
口部３２は、胴部３１よりも縮径して、胴部３１から突出している。口部３２の突出方向は、容器２０全体としての長手方向及び胴部３１の長手方向と一致している。図２に示すように、口部３２の先端には開口３２ａが形成されている。この開口３２ａを介して、容器本体３０の内容物を収容しているスペースへ通じることができる。すなわち、開口３２ａは、容器本体３０に収容された内容物の容器本体３０からの注出口をなしている。また、口部３２は、胴部３１への接続口側となる基端部に、固定螺旋（雄ねじ）３３を形成されている。
【００２４】
次に、蓋体４０について説明する。図１及び図２に示すように、蓋体４０は、容器本体３０の口部３２を覆うようにして、容器本体３０に取り外し可能に固定され得る。蓋体４０は、容器本体３０から最も離間する蓋底部４１と、蓋底部４１から延び出す筒状の側壁部４２と、を有している。図５に示すように、蓋体４０の側壁部４２の幅Ｗａは、蓋底部４１に最も近接する基端部４２ａにおいて、蓋底部４１から最も離間する先端部４２ｂよりも小さくなっている。図示された例において、側壁部４２の幅Ｗａは、先端部４２ｂから基端部４２ａに向けて小さくなるようにのみ変化している。とりわけ、側壁部４２の幅Ｗａは、先端部４２ｂから基端部４２ａに向けてしだいに小さくなっている。すなわち、図示された例において、側壁部４２の幅Ｗａは、先端部４２ｂから基端部４２ａに向けて、小さくなるように連続的に変化し続けている。
【００２５】
また、図示された例において、側壁部４２は、基端部４２ａと先端部４２ｂとを結ぶ方向に直交する断面において、すなわち、容器２０の長手方向に直交する断面において、円形状となっている。すなわち、側壁部４２は、基端部４２ａから先端部４２ｂに向けて拡径する円筒状の輪郭、或いは、円錐台の側面と同様の輪郭を有している。したがって、図示された例における側壁部４２の幅Ｗａは、基端部４２ａと先端部４２ｂとを結ぶ方向に直交する断面での直径となる。
【００２６】
図２に示すように、蓋体４０は、蓋底部４１から垂下する内筒部４４をさらに有している。図２に示すように、内筒部４４は、側壁部４２の内側に配置された筒状の部位である。内筒部４４は、径が概ね一定の円筒状の輪郭を有している。内筒部４４は、側壁部４２の内側に位置している。内筒部４４は、蓋底部４１から離間する側となる先端部の内壁に、固定螺旋（雌ねじ）４５を形成されている。内筒部４４の固定螺旋４５は、口部３２の固定螺旋３３と螺合可能となっている。
【００２７】
内筒部４４の固定螺旋４５と口部３２の固定螺旋３３が螺合することにより、蓋体４０が容器２０に固定される。蓋体４０が容器２０に固定された場合、容器本体３０の口部３２は、蓋体４０の内筒部４４内に位置する。このとき、口部３２の開口３２ａは、蓋体４０の蓋底部４１によって塞がれる。したがって、蓋体４０が容器２０に固定されている状態で、容器本体３０が押圧されたとしても、容器本体３０内の内容物が開口３２ａから流出することは防止される。
【００２８】
蓋体４０は、一例として、蓋底部４１、側壁部４２及び内筒部４４を一体形成した樹脂成形物として、作製され得る。
【００２９】
次に、容器２０を支持する支持具５０について説明する。支持具５０は、受け開口５１ａが形成された天板５１を有している。図５に示すように、受け開口５１ａは、容器２０の蓋体４０を受けて蓋体４０を保持する。図３に示すように、図示された支持具５０は、天板５１を支持する支持側壁５２を、さらに有している。支持側壁５２は、天板５１の周縁に接続するパネル状に形成されている。図３に示された支持具５０の天板５１は、平面視四角形形状の外輪郭を有している。支持側壁５２は、天板５１の四辺からそれぞれ延び出した四角形筒状に形成されている。
【００３０】
受け開口５１ａの開口幅Ｗｂは、基端部４２ａにおける側壁部４２の幅Ｗａよりも大きく且つ先端部４２ｂにおける側壁部４２の幅Ｗｂよりも小さくなっている。したがって、蓋体４０を蓋底部４１の側から天板５１の受け開口５１ａに挿入した場合、蓋体４０は、受け開口５１ａを完全に通過することはない。蓋体４０の側壁部４２が受け開口５１ａと係合して、蓋体４０は支持具５０に保持される。すなわち、蓋体４０は、蓋底部４１が天板５１の受け開口５１ａを通過し且つ上方に開口した状態で、天板５１に保持される。図１に示すように、支持具５０に保持された蓋体４０に対して容器本体３０を固定することにより、容器２０は支持具５０によって起立した状態で、支持具５０によって支持されるようになる。また、図５に示すように、固定螺旋４５と固定螺旋３３とを螺合させることなく、支持具５０に保持された蓋体４０の内筒部４４内へ、容器本体３０の口部３２を挿入しただけの状態においても、口部３２及び内筒部４４が比較的長く形成されていることから、容器本体３０は、起立した状態で保持されるようになる。
【００３１】
図示された例において、受け開口５１ａは、円形状となっている。したがって、図示された例における受け開口５１ａの開口幅Ｗｂは、受け開口５１ａの内径となる。
【００３２】
図３に示すように、支持具５０の天板５１には、受け開口５１ａとは別途に、有底受け穴５１ｂが形成されている。図１に示すように、この受け穴５１ｂには、櫛６０が収容されるようになる。櫛６０は、受け穴５１ｂに挿入されて起立した状態で、支持具５０によって支持されるようになる。なお、受け穴５１ｂの底面には、水抜き用の排出口５１ｃが形成されている。
【００３３】
次に、以上のような構成からなる施術装置１０を用いて施術する際の作用について説明する。以下の説明において、容器２０に収容された内容物は、染毛料であるとする。
【００３４】
まず図４（ａ）に示すように、蓋体４０を取り外した容器本体３０を一方の手で把持する。容器本体３０から取り外された蓋体４０は、支持具５０の天板５１に形成された受け開口５１ａに挿入しておく。次に、一方の手で容器本体３０を押圧することにより、容器本体３０から内容物を他方の手の上に取り出す。その後、図４（ｂ）に示すように、一方の手で把持していた容器本体３０の口部３２を、支持具５０に保持された蓋体４０の内筒部４４内に挿入する。この結果、図５に示すように、容器本体３０は、口部３２を下方にして起立した状態にて、支持具５０及び蓋体４０によって支持される。容器本体３０を手放した使用者は、他方の手に取り出した内容物を、両方の手の上で広げ（延ばし）、その後、頭髪になで付ける。
【００３５】
頭髪に十分な量の内容物を塗布するため、使用者は、再度、容器本体３０から内容物を取り出す。具体的には、図４（ｃ）に示すように、一方の手で容器本体３０を把持し、他方の手に内容物を取り出す。次に、図４（ｄ）に示すように、容器本体３０の口部３２を蓋体４０の内筒部４４内に挿入し、支持具５０及び蓋体４０によって、容器本体３０を起立した状態で支持する。その後、他方の手に取り出した内容物を、両方の手の上で延ばし、その後、頭髪になで付ける。頭髪に十分な量の内容物が塗布されるようになるまで、容器本体３０からの内容物の取り出し、取り出した内容物の頭髪への塗布が繰り返される。
【００３６】
以上の施術において、一回目の内容物の塗布作業時に、内容物は両手に付着する。したがって、図４（ｃ）に示すように、二回目以降の内容物の塗布作業を実施するために、容器本体３０を把持する手には内容物が付着している。このため、容器本体３０の外表面には、内容物が付着する。
【００３７】
しかしながら、図４（ｄ）に示すように、容器本体３０は、その口部３２を容器本体３０の内筒部４４に挿入され、起立した状態で支持される。すなわち、内容物が付着した容器本体３０の外表面は、支持具５０が載置された面、例えば、化粧台や机の表面または床面等に接触することはない。したがって、施術中に、容器本体３０に付着した内容物が他の部位に付着することを効果的に防止することができる。
【００３８】
また、容器本体３０に収容された内容物（染毛料）が開口３２ａから流出することを防止され得る程度の粘性を有する場合、図４（ｂ）及び図４（ｄ）に示すように、容器本体３０を蓋体４０上に仮置きする際、容器本体３０の固定螺旋３３を蓋体４０の固定螺旋４５と螺合させる必要はない。口部３２を内筒部４４に挿入しただけの状態で、支持具５０に保持された蓋体４０によって、容器本体３０を起立して保持することができる。すなわち、きわめて簡単な取り扱いにより、容器本体３０に付着した内容物が他の部位に付着することを効果的に防止することができる。
【００３９】
その一方で、施術の途中に、容器本体３０の固定螺旋３３を蓋体４０の固定螺旋４５と螺合させて、容器本体３０を蓋体４０上に起立して支持する場合でも、蓋体４０は支持具５０に保持されていることから、片手でこの作業を行うことができる。
【００４０】
以上のような本実施の形態において、施術装置１０は、容器２０と、容器２０を支持する支持具５０と、を有する。容器２０は、内容物を収容した容器本体３０と、容器本体３０に固定可能な蓋体４０と、を有する。容器本体３０は、内容物を収容する胴部３１と、胴部３１から突出し先端に開口３２ａが形成された口部３２と、を含む。蓋体４０は、容器本体３０から最も離間する蓋底部４１と、蓋底部４１から延び出す筒状の側壁部４２と、を有し、口部３２を覆うようにして容器本体３０に固定可能である。蓋体４０の蓋底部４１の幅Ｗａは、蓋底部４１に最も近接する基端部４２ａにおいて蓋底部４１から最も離間する先端部４２ｂよりも小さくなっている。支持具５０は、容器２０の蓋体４０を受ける受け開口５１ａが形成された天板５１を有する。受け開口５１ａの開口幅Ｗｂは、基端部４２ａにおける側壁部４２の幅Ｗａよりも大きく先端部４２ｂにおける側壁部４２の幅Ｗａよりも小さい。このような施術装置１０においては、支持具５０の受け開口５１ａと係合することにより上方に開口するようにして支持具５０に保持された蓋体４０により、容器本体３０を起立した状態に保持することができる。したがって、施術中に、容器本体３０の外表面に付着した内容物が他の部位に付着してしまうことを効果的に防止することができる。
【００４１】
また、本実施の形態においては、支持具５０の天板５１には、受け開口５１ａとは別途に、有底受け穴５１ｂが形成されている。この受け穴５１ｂには、櫛６０等に施術に利用され得る部材を収容することができる。これにより、施術装置１０の利便性をより向上させることができる。
【００４２】
さらに、本実施の形態において、蓋体４０は、蓋底部４１から垂下して側壁部４１の内側に設けられ、容器本体３０の口部３２を収容する内筒部４４を、さらに有する。このような施術装置１０によれば、きわめて簡単な操作により、容器本体３０を起立した状態に維持することが可能となる。
【００４３】
さらに、本実施の形態において、側壁部４２の幅Ｗａは、先端部４２ｂから基端部４２ａに向けて小さくなるようにのみ変化する。また、側壁部４２の幅Ｗａは、先端部４２ｂから基端部４２ａに向けてしだいに小さくなっていく。このような施術装置１０においては、支持具５０の受け開口５１ａ内に蓋体４０をより安定して保持することが可能となる。この結果、蓋体４０によって支持される容器本体３０の起立姿勢もより安定する。
【００４４】
さらに、本実施の形態において、側壁部４２は、基端部４２ａと先端部４２ｂとを結ぶ方向に直交する断面において、円形状となっている。また、支持具５０の天板５１に形成された受け開口５１ａは、円形状となっている。このような施術装置１０においては、支持具５０の受け開口５１ａ内に蓋体４０をより安定して保持することが可能となる。この結果、蓋体４０によって支持される容器本体３０の起立姿勢もより安定する。
【００４５】
以上、本考案を図示する一実施の形態に基づいて説明したが、本考案はこの実施の形態に限定されるものではなく、この他にも種々の態様で実施可能である。
【符号の説明】
【００４６】
１０   施術装置
２０   容器
３０   容器本体
３１   胴部
３２   口部
３２ａ 開口
３３   固定螺旋
４０   蓋体
４１   蓋底部
４２   側壁部
４２ａ 基端部
４２ｂ 先端部
４４   内筒部
４５   固定螺旋
５０   支持具
５１   天板
５１ａ 受け開口
５１ｂ 受け穴
５１ｃ 排出口
５２   支持側壁
６０   櫛
【図１】
0003196263.tif 000003
【図２】
0003196263.tif 000004
【図３】
0003196263.tif 000005
【図４】
0003196263.tif 000006
【図５】
0003196263.tif 000007